(57)【要約】      （修正有）【課題】より快適に、より良いマッサージ効果のある偏心回転式按摩器構造を提供する。【解決手段】マッサージマスク１０と連動部材２０及びカルーセル３０からなり、そのマッサージマスク１０の外縁において、中央に、突出部１１が設けられ、突出部１１において、マッサージマスク１０の内部まで貫通する階段状穴１２が形成され、また、マッサージマスク１０の開口において、成型する時、一体的に内へ向く円弧状の凸縁１３が形成され、その円弧面により、貼り付き部１４が形成され、また、上記貼り付き部１４とマッサージマスク１０本体との間に、空間が形成され、連動部材２０とカルーセル３０の対向側に、それぞれ、第一のリング状壁２１と第二のリング状壁３１が設けられ、もう一側の表面に、それぞれ、凹槽２３や貫通穴２４及び多辺形バイア柱３３が設けられる。【選択図】図２
0003152405.tif 000002
【実用新案登録請求の範囲】
【請求項１】
マッサージマスクと連動部材及びカルーセルからなり、そのマッサージマスクが、椀形状で、連動部材とカルーセルの対向側に、それぞれ、第一のリング状壁と第二のリング状壁が設けられ、連動部材とカルーセルとが、上記第一、二のリング状壁を嵌合することにより、組立てられ、上記第一、二のリング状壁の嵌合面上に、対応する係合部が設けられ、連動部材とカルーセルとが組立てられた後、連動部材が、カルーセル上で、フリーランニングでき、カルーセルのもう一側の表面にある偏心位置が、その内部へ向って、多辺形バイア柱に形成される偏心回転式按摩器構造であって、
マッサージマスクの開口に、成型する時、一体的に内へ向く円弧状の凸縁が形成され、その円弧面により、貼り付き部が形成され、また、上記貼り付き部とマッサージマスク本体との間に、空間が形成される、ことを特徴とする偏心回転式按摩器構造。
【請求項２】
カルーセルに、モータから伸びた駆動柱により、カルーセルの多辺形バイア柱と係合して連動するための旋動部品が設けられることを特徴とする請求項１に記載の偏心回転式按摩器構造。
【請求項３】
マッサージマスクが、シリカゲル材質により、一体的に成型されることを特徴とする請求項１に記載の偏心回転式按摩器構造。
【請求項４】
マッサージマスクの外縁において、中央に、突出部が設けられ、突出部において、マッサージマスクの内部まで貫通する階段状穴が形成され、連動部材において、閉鎖面の外方に、凹槽と貫通穴が形成され、マッサージマスクが、突出部を利用して連動部材の凹槽に係合され、また、固定パーツで、マッサージマスクの内部からその階段状穴と連動部材の貫通穴に通して固定することにより、マッサージマスクが、連動部材に結合されることを特徴とする請求項１に記載の偏心回転式按摩器構造。
【請求項５】
第一のリング状壁の内径が、第二のリング状壁の外径よりやや大きく、連動部材が、第一のリング状壁を第二のリング状壁に嵌合することにより、カルーセルに組立てられることを特徴とする請求項１に記載の偏心回転式按摩器構造。
【請求項６】
第二のリング状壁の内径が、第一のリング状壁の外径よりやや大きく、カルーセルが、第二のリング状壁を第一のリング状壁に嵌合することにより、連動部材に組立てられることを特徴とする請求項１に記載の偏心回転式按摩器構造。
【請求項７】
第一、二のリング状壁の係合部が、リング状溝とリング状リブとによって構成されることを特徴とする請求項１に記載の偏心回転式按摩器構造。
【考案の詳細な説明】
【技術分野】
【０００１】
本考案は、偏心回転式按摩器構造に関し、特に、マッサージ効果がよく、有効に、作用力を均一に分散できる按摩器に関する。
【背景技術】
【０００２】
従来の胸部按摩器構造は、図７のように、マスク体５０と伝動本体６０とからなり、そのマスク体５０は、ほぼ椀状であり、その外縁において、中央に、突出柱５１が形成され、突出柱５１に、嵌設穴５１１があり、内縁に、均一に突出５２が配列され、伝動本体６０は、円弧状蓋板６１があり、蓋板６１に、握り部６２が設けられ、また、握り部６２内に、モータが設置され、モータの軸心が、下へ突出してカルーセル６３に結合され、カルーセル６３の偏心位置に、固定棒６４が設置される。
【０００３】
上記の考案によれば、マスク体５０は、突出柱５１の嵌設穴５１１により、固定棒６４に嵌設され、モータが駆動される時、マスク体５０が回旋転動されて、人体の胸部に対して按摩を行う。
【０００４】
しかしながら、上記の従来構造は、実用上に、次の問題点があり、
１、そのマスク体５０は、その端縁５３が、直接に胸部に貼り付き、上記のように、線で接触する態様であるため、胸部に対して、力点が、狭い範囲に作用し（図８のように）、上記の力点作用箇所に、疼痛感が発生し、按摩の快適性が失ってしまう。
２、その狭い範囲の線接触のため、有効に、胸部に対して全面的な按摩を行うことができず、按摩の効果が低下される。
【０００５】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】
本考案の主な目的は、そのマッサージマスクが、弾性を有するシリカゲル材質であるため、相対的に柔らかく、使用する時、貼り付き部が、全面的に大きい範囲の面積で、胸部に接触するため、相対的に、力点が狭い範囲に作用することによる疼痛感を防止でき、按摩する時、より快適になる偏心回転式按摩器構造を提供する。
【０００７】
本考案の他の目的は、大きい範囲の面で胸部に接触して、胸部に対して、全面的に按摩できるため、マッサージ効果がより良い偏心回転式按摩器構造を提供する。
【課題を解決するための手段】
【０００８】
請求項１の考案は、マッサージマスクと連動部材及びカルーセルからなり、そのマッサージマスクが、椀形状で、連動部材とカルーセルの対向側に、それぞれ、第一のリング状壁と第二のリング状壁が設けられ、連動部材とカルーセルとが、上記第一、二のリング状壁を嵌合することにより、組立てられ、上記第一、二のリング状壁の嵌合面上に、対応する係合部が設けられ、連動部材とカルーセルとが組立てられた後、連動部材が、カルーセル上で、フリーランニングでき、カルーセルのもう一側の表面にある偏心位置が、その内部へ向って、多辺形バイア柱に形成される偏心回転式按摩器構造であって、マッサージマスクの開口に、成型する時、一体的に内へ向く円弧状の凸縁が形成され、その円弧面により、貼り付き部が形成され、また、上記貼り付き部とマッサージマスク本体との間に、空間が形成される、ことを特徴とする偏心回転式按摩器構造である。
【０００９】
請求項２の考案は、カルーセルに、モータから伸びた駆動柱により、カルーセルの多辺形バイア柱と係合して連動するための旋動部品が設けられることを特徴とする請求項１に記載の偏心回転式按摩器構造である。
【００１０】
請求項３の考案は、マッサージマスクが、シリカゲル材質により、一体的に成型されることを特徴とする請求項１に記載の偏心回転式按摩器構造である。
【００１１】
請求項４の考案は、マッサージマスクの外縁において、中央に、突出部が設けられ、突出部において、マッサージマスクの内部まで貫通する階段状穴が形成され、連動部材において、閉鎖面の外方に、凹槽と貫通穴が形成され、マッサージマスクが、突出部を利用して連動部材の凹槽に係合され、また、固定パーツで、マッサージマスクの内部からその階段状穴と連動部材の貫通穴に通して固定することにより、マッサージマスクが、連動部材に結合されることを特徴とする請求項１に記載の偏心回転式按摩器構造である。
【００１２】
請求項５の考案は、第一のリング状壁の内径が、第二のリング状壁の外径よりやや大きく、連動部材が、第一のリング状壁を第二のリング状壁に嵌合することにより、カルーセルに組立てられることを特徴とする請求項１に記載の偏心回転式按摩器構造である。
【００１３】
請求項６の考案は、第二のリング状壁の内径が、第一のリング状壁の外径よりやや大きく、カルーセルが、第二のリング状壁を第一のリング状壁に嵌合することにより、連動部材に組立てられることを特徴とする請求項１に記載の偏心回転式按摩器構造である。
【００１４】
請求項７の考案は、第一、二のリング状壁の係合部が、リング状溝とリング状リブとによって構成されることを特徴とする請求項１に記載の偏心回転式按摩器構造である。
【００１５】
以下、図面を参照しながら、本考案の特徴や技術内容について、詳しく説明するが、それらの図面等は、参考や説明のためであり、本考案は、それによって制限されることが無い。
【図面の簡単な説明】
【００１６】
【図１】本考案の立体組立て図
【図２】本考案の立体分解図
【図３】本考案の組立て断面と胸部に着用する時の状態図
【図４】本考案による按摩とマッサージマスクが全面的に整面貼り付く時の状態図
【図５】本考案の揉み作動の状態図
【図６】本考案のマッサージマスクを交換する時の状態図
【図７】従来構造の断面図
【図８】従来構造の使用状態と線接触で胸部に貼り付く時の状態図
【考案を実施するための形態】
【００１７】
図１と図２のように、本考案は、マッサージマスク１０と連動部材２０及びカルーセル３０からなり、そのマッサージマスク１０は、椀形状で、シリカゲル材質で、一体的に成型され、その外縁において、中央に、突出部１１が設けられ、突出部１１上において、マッサージマスク１０の内部まで貫通する階段状穴１２が形成され、また、マッサージマスク１０の開口に、成型する時、一体的に内へ向う円弧状の凸縁１３が形成され、これにより、その弧曲面が、貼り付き部１４になり、上記貼り付き部１４とマッサージマスク１０本体との間に、空間１５が形成され、連動部材２０とカルーセル３０の対向側に、それぞれ、第一のリング状壁２１と第二のリング状壁３１が設けられ、上記第一のリング状壁２１の内径が、第二のリング状壁３１の外径よりやや大きくなることにより、連動部材２０が、第一のリング状壁２１を第二のリング状壁３１上に嵌合することにより、カルーセル３０に組立てられ、上記第一、二のリング状壁２１、３１が互いに嵌合する面に、対応するリング状溝とリング状リブとからなる係合部２２、３２が設けられ、連動部材２０とカルーセル３０とが互いに組立てられた後、連動部材２０が、カルーセル３０上で、フリーランニングでき、連動部材２０のもう一側の表面に、凹槽２３が形成され、また、貫通穴２４が設けられ、カルーセル３０のもう一側の表面にある偏心位置が、その内部へ向って、多辺形バイア柱３３に形成される。
【００１８】
本考案によれば、図１と図３のように、マッサージマスク１０は、突出部１１により連動部材２０の凹槽２３に係合され、また、固定パーツ１６で、マッサージマスク１０の内部からその階段状穴１２と連動部材２０の貫通穴２４に通して固定することにより、マッサージマスク１０が、連動部材２０に結合され、連動部材２０が、第一のリング状壁２１をカルーセル３０の第二のリング状壁３１に嵌合することにより、係合部２２、３２の互いに係止することで、カルーセル３０に組立てられ、また、上記構造は、旋動力を発生するモータが実装された旋動部品４０が、モータから伸びた駆動柱４１をカルーセル３０の多辺形バイア柱３３に貫通して互いに係止することにより、組立てられ、上記のように、本考案が組立てられる。
【００１９】
また、図４と図５のように、実用上、マッサージマスク１０をユーザーの胸部に覆って、胸部と凸縁１３が、自然に貼り付き合い、また、覆い付き程度に応じて、その凸縁１３が、空間１５を利用して変形でき、逆方向の弾力を利用して、貼り付き部１４が、全面的に胸部に接触でき、上記によれば、按摩する時、相対的に、狭い範囲の線接触による疼痛感を避けることができ、また、旋動部品４０のモータが駆動される時、駆動柱４１で直接に多辺形バイア柱３３を連動して、カルーセル３０とマッサージマスク１０が偏心転動になり、その転動による反作用力が、カルーセル３０と連動部材２０との相対旋動により相殺され、この時、上記マッサージマスク１０が、緩やかに揉んで、ユーザーが、マッサージ師による揉みマッサージを感じて、より良い快適感が得られ、また、震動マッサージによって、胸部が傷付くことを防止でき、また、カルーセル３０の多辺形バイア柱３３が、旋動部品４０の駆動柱４１に嵌設されるため、異なるサイズのマッサージマスク１０を交換する時、直接に、マッサージマスク１０と連動部材２０及びカルーセル３０を、一括に取り外したら、簡単に且つ便利に別のマッサージマスク１０を交換できる（図６のように）。
【００２０】
上記の具体的な実施例の構造によれば、次の利点が得られ、
１、そのマッサージマスク１０は、弾性を有するシリカゲル材質からなるため、より柔らかくなり、また、使用する時、貼り付き部１４が、全面である大きい範囲の面積で胸部と接触するため、力点が、狭い範囲に集中することによる疼痛感を防止でき、より快適感が得られる。
２、大きい範囲の面接触で、胸部に対して、全面的な按摩を行うことができ、より良いマッサージ効果が得られる。
【００２１】
そのため、本考案は、より進歩的かつより実用的で、法に従って実用新案登録請求を出願する。
【００２２】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２３】
本考案
１０  マッサージマスク
１１  突出部
１２  階段状穴
１３  凸縁
１４  貼り付き部
１５  空間
１６  固定パーツ
２０  連動部材
２１  第一のリング状壁
２２  係合部
２３  凹槽
２４  貫通穴
３０  カルーセル
３１  第二のリング状壁
３２  係合部
３３  多辺形バイア柱
４０  旋動部品
４１  駆動柱
従来
５０    マスク体
５１    突出柱
５１１  嵌設穴
５２    突出
５３    端縁
６０    伝動本体
６１    蓋板
６２    握り部
６３    カルーセル
６４    固定棒
【図１】
0003152405.tif 000003
【図２】
0003152405.tif 000004
【図３】
0003152405.tif 000005
【図４】
0003152405.tif 000006
【図５】
0003152405.tif 000007
【図６】
0003152405.tif 000008
【図７】
0003152405.tif 000009
【図８】
0003152405.tif 000010